(57)【要約】【課題】メインボードにおける実装コネクタを大幅に削減でき、メインボードのコンパクト化、コストダウンを実現する。【解決手段】入力信号インターフェース、出力信号インターフェース、センサ信号により開閉するスイッチ回路１１と、これに並列に接続される抵抗回路１２とからなり、出力信号はセンサ信号状態により入力信号と短絡されるか、あるいは入力信号と抵抗回路を介して接続される複数のシリアルインターフェース部２と、最終段のシリアルインターフェース部２に接続され、ＡＤ変換入力電圧により各シリアルインターフェース部２に入力されるセンサ信号の状態を認識するマイコンボード４とを備えた。【選択図】        図１
2005006189.tif 000002
【特許請求の範囲】
【請求項１】
入力信号インターフェース、出力信号インターフェース、センサ信号により開閉するスイッチ回路と、該スイッチ回路に並列に接続される抵抗回路とからなり、出力信号はセンサ信号状態により入力信号と短絡されるか、あるいは前記入力信号と抵抗回路を介して接続される複数のシリアルインターフェース部と、最終段のシリアルインターフェース部に接続され、ＡＤ変換入力電圧により各シリアルインターフェース部に入力されるセンサ信号の状態を認識するマイコンボードとを備えたことを特徴とするセンサシステム。
【請求項２】
請求項１のセンサシステムにおいて、各シリアルインターフェース部の抵抗回路の抵抗値は、それぞれ異なる２のべき乗値であることを特徴とするセンサシステム。
【請求項３】
請求項１のセンサシステムにおいて、各シリアルインターフェース部の抵抗回路の抵抗値Ｘｎは、Ｘｎ＋１＞ΣＸｎであることを特徴とするセンサシステム。
【請求項４】
請求項２のセンサシステムにおいて、前記各シリアルインターフェース部の抵抗値Ｘｎは、シリアルインターフェース部同士を接続するケーブル抵抗値よりも十分大きな値であることを特徴とするセンサシステム。
【発明の詳細な説明】
【０００１】
【発明の属する技術分野】
本発明は、プリンタ・複写機等の画像形成装置に好適なセンサシステムに関し、デジタル入力信号の論理判定回路にも応用できる。
【０００２】
【従来の技術】
例えば、特許文献１では、分圧抵抗を利用したスイッチ切り替え装置であって、一方が接地されて他方が分圧抵抗に接続されるスイッチを各動作モードで切り替わるようにして、その信号電圧をＡ／Ｄ変換器を介してマイコンに取り込むことで、どの動作モードに切り替わっているかを認識できるようにしている。
【特許文献１】特開平０８−２０１８８９号公報
【０００３】
【発明が解決しようとする課題】
これだけではＡ／Ｄ変換器が搭載されたボード（メインボード）とは物理的に離れている入力信号のステータスを認識する場合には、入力信号の数だけインターフェースコネクタも増えてしまうという欠点がある。
またプリンタや複写機においては、さまざまなセンサが搭載されているが、それぞれのセンサはメインボード上のそれぞれのインターフェースコネクタに接続されており、それだけコネクタの数が増えることになり、メインボードの面積を大きくしてしまう要因となっている。
本発明は、センサからの出力信号をシリアル接続することで、メインボードにおける実装コネクタを大幅に削減でき、メインボードのコンパクト化、コストダウンを実現することを目的とする。
【０００４】
【課題を解決するための手段】
上記目的を達成するために、請求項１記載の発明は、入力信号インターフェース、出力信号インターフェース、センサ信号により開閉するスイッチ回路と、該スイッチ回路に並列に接続される抵抗回路とからなり、出力信号はセンサ信号状態により入力信号と短絡されるか、あるいは前記入力信号と抵抗回路を介して接続される複数のシリアルインターフェース部と、最終段のシリアルインターフェース部に接続され、ＡＤ変換入力電圧により各シリアルインターフェース部に入力されるセンサ信号の状態を認識するマイコンボードとを備えたことを特徴とする。
請求項２記載の発明は、請求項１のセンサシステムにおいて、各シリアルインターフェース部の抵抗回路の抵抗値は、それぞれ異なる２のべき乗値であるセンサシステムを主要な特徴とする。
請求項３記載の発明は、請求項１のセンサシステムにおいて、各シリアルインターフェース部の抵抗回路の抵抗値Ｘｎは、Ｘｎ＋１＞ΣＸｎであることを特徴とする。
請求項４記載の発明は、請求項２のセンサシステムにおいて、前記各シリアルインターフェース部の抵抗値Ｘｎは、シリアルインターフェース部同士を接続するケーブル抵抗値よりも十分大きな値であることを特徴とする。
【０００５】
【発明の実施の形態】
以下、図面により本発明の実施の形態を説明する。
図１は本発明の一実施形態を示すセンサシステムの全体構成図である。図示したようにこのセンサシステムは、センサ１の信号を受ける複数のシリアルインターフェース部２同士がケーブル３を介して接続されて、その最終出力端がマイコンボード４に接続されることで構成されている。
シリアルインターフェース部２は、入力インターフェースコネクタ５と出力インターフェースコネクタ６を有する。またマイコンボード４は、センサインターフェースコネクタ７とＡＤ変換部８とＣＰＵ９を有する。シリアルインターフェース部２の出力信号はマイコンボード４に入力され、ＡＤ変換結果をＣＰＵ９にて判定する。
図２は図１に示すシリアルインターフェース部の構成図である。シリアルインターフェース部２は図２に示されるとおり、入力インターフェースコネクタ５、出力インターフェースコネクタ６、センサインターフェースコネクタ１０、センサ信号により開閉するスイッチ回路１１、スイッチ回路１１に並列に接続される抵抗回路１２からなり、出力インターフェースコネクタ６の出力信号は、センサ信号状態により入力信号と短絡されるか、あるいは入力信号と抵抗回路１２を介して接続される状態となる。
すなわち、シリアルインターフェース部２において、例えばセンサ信号が１でスイッチオフ、０でスイッチオンとした場合、センサ信号が１の場合は、出力−入力間抵抗値は、短絡スイッチオフなので抵抗値Ｒｘとなる。逆にセンサ信号が０の場合は、出力−入力間抵抗値は、短絡スイッチオンなので短絡、すなわち０Ωとなる。
【０００６】
図３は本発明の一実施形態を示すセンサシステムの電気系統図である。各抵抗回路１２において、Ｒ１＝１ｋΩ、Ｒ２＝２ｋΩ、Ｒ３＝４ｋΩ、Ｒ４＝８ｋΩとし、ＡＤ変換部８でのプルダウン抵抗ＲＧ＝１０ｋΩとすれば、以下の表のとおり、ＡＤ変換部８の入力電圧が示され、各センサ状態を判別できる出力電圧を得ることができる。
本実施例では各センサ１の状態を識別するにあたり、各抵抗値を２のべき乗値の関係としており、センサ１の数が本実施例よりも多い場合にも同様となる。しかしセンサ１の数が多くなる程、出力電圧値の差も飽和してくるため、プルダウン抵抗値を大きくするなどして対応することが望ましい。また本実施例のようにセンサインターフェースコネクタ１０が４個→１個に削減できるだけでも十分な効果が期待でき、例えば８個→２個、１２個→３個で効果は十分である。
2005006189.tif 000003
（注）各表欄の抵抗値の単位はｋΩ、電圧はＶである。
また、Ｒｎ＞ΣＲｋ（ｋ＝１〜ｎ−１）の関係を満たす抵抗値の一例を以下に示す。
Ｒ１＝０．６６ｋΩ、Ｒ２＝２．１ｋΩ、Ｒ３＝４．７ｋΩ、Ｒ４＝９．１ｋΩとし、ＡＤ変換部８でのプルダウン抵抗ＲＧ＝１０ｋΩとすれば、以下の表のとおりの電圧値が得られる。
2005006189.tif 000004
また、上記抵抗値程度（数１００Ω〜数十ｋΩ）に抵抗値を設定しておくことで、電線の抵抗成分はほとんど誤差とみなすことができ、ＡＤ変換部８での判定には問題とならない。
【０００７】
【発明の効果】
請求項１のセンサシステムにおいては、メインボードに搭載するセンサインターフェースコネクタの数を大幅に削減することができ、システムの小型化に寄与できる。
請求項２のセンサシステムにおいては、複数センサのオン、オフ状態を確実に検知することができる。
請求項３のセンサシステムにおいては、請求項２センサシステムにおいて容易に理想値の抵抗部品をそろえることができない場合でも対応できる。
請求項４のセンサシステムにおいては、抵抗値の範囲を例えば数１００Ω〜数１０ｋΩにすることで、ケーブル自体の抵抗成分を気にしないで設計することが可能となる。
【図面の簡単な説明】
【図１】本発明の一実施形態を示すセンサシステムの全体構成図。
【図２】図１に示すシリアルインターフェース部の構成図。
【図３】本発明の一実施形態を示すセンサシステムの電気系統図。
【符号の説明】
１  センサ
２  シリアルインターフェース部
４  マイコンボード
【図１】
2005006189.tif 000005
【図２】
2005006189.tif 000006
【図３】
2005006189.tif 000007